(57)【要約】【課題】天井面の汚れを防止することができるイオン発生装置を提供する。【解決手段】ルーバ２１の対向する縁辺のうち、周縁部２ａ側の縁辺に沿ってルーバ２１の内側に突条部材２１１を設けてある。ルーバ２２の対向する縁辺のうち、周縁部２ｂ側の縁辺に沿ってルーバ２２の内側に突条部材２２１を設けてある。ルーバ２３の対向する縁辺のうち、周縁部２ｃ側の縁辺に沿ってルーバ２３の内側に突条部材２３１を設けてある。ルーバ２４の対向する縁辺のうち、周縁部２ｄ側の縁辺に沿ってルーバ２４の内側に突条部材２４１を設けてある。【選択図】図５
2013104599.tif 000002
【特許請求の範囲】
【請求項１】
イオン発生ユニットと、該イオン発生ユニットで発生したイオンを含む空気を吹き出すための吹出口が設けられ、取付面に取り付けられるパネルと、前記吹出口を開閉するとともに風向を調整する風向調整板とを備えるイオン発生装置において、
前記風向調整板で前記吹出口を閉じた状態で、該吹出口から漏出する空気を前記取付面から離隔する方向へ導出する導出部を備えることを特徴とするイオン発生装置。
【請求項２】
前記吹出口及び風向調整板は、
略同寸法の矩形状をなし、前記パネルの周縁部に設けてあり、
前記風向調整板は、
前記吹出口の前記周縁部と反対側の縁部に沿った軸回りに回動可能に設けられ、
前記導出部は、
前記風向調整板の前記周縁部側の縁辺に沿って設けてあることを特徴とする請求項１に記載のイオン発生装置。
【請求項３】
前記導出部は、
前記風向調整板を閉じた状態で該風向調整板の内側の縁辺に沿って設けた突条部材であることを特徴とする請求項２に記載のイオン発生装置。
【請求項４】
前記突条部材の前記軸側の側面は、凹状に湾曲してあることを特徴とする請求項３に記載のイオン発生装置。
【請求項５】
前記パネルの周縁部に前記吹出口及び前記風向調整板それぞれを複数設けてあり、
前記パネルの中央部に空気の取入口を設けてあることを特徴とする請求項１から請求項４までのいずれか１項に記載のイオン発生装置。
【発明の詳細な説明】
【技術分野】
【０００１】
本発明は、イオンを発生させるイオン発生装置に関する。
【背景技術】
【０００２】
従来、脱臭作用や除菌作用を有する液体から霧を発生させ、ファンを用いて発生させた気流によって霧を室内に拡散させることにより、室内の壁面等の脱臭や除菌をすることが可能な空気清浄機が実用化されている。
【０００３】
例えば、空気吸引口から空気を吸い込み、イオン発生部で発生したイオンを含んだ空気を複数の空気吹出口から吹き出すイオン発生装置が開示されている（特許文献１参照）。
【０００４】
このようなイオン発生装置を天井面に取り付ける場合には、イオン発生装置本体の大部分を天井に設けた開口内に埋め込んで、空気の吸引口及び吹出口が設けられたパネルを天井面から露出した状態でイオン発生装置を天井に取り付ける。そして、吹出口には風向を調整するためのルーバ（風向調整板）を回動可能に装着してあり、ルーバの開き具合を変えることにより、風向を調整することができる。
【先行技術文献】
【特許文献】
【０００５】
【特許文献１】特開２０１０−２９５５３号公報
【発明の概要】
【発明が解決しようとする課題】
【０００６】
しかし、特許文献１のようなイオン発生装置を天井に取り付ける場合、ルーバを閉じた状態であっても、ルーバの先端部と吹出口との隙間から漏出する空気がパネルの周縁部から天井面に沿って流れる。このため、天井面の周辺の塵又は埃を巻き込んだ空気が天井面に沿って流れるため天井面に汚れが付着するという問題があった。また、ルーバを完全に閉じた状態ではなく、わずかに開いた状態であっても、吹出口から吹き出された空気がルーバに当たり、ルーバの内側面に沿って風向を変えて天井面に沿って流れるため、同様の問題が発生する。
【０００７】
本発明は斯かる事情に鑑みてなされたものであり、天井面の汚れを防止することができるイオン発生装置を提供することを目的とする。
【課題を解決するための手段】
【０００８】
本発明に係るイオン発生装置は、イオン発生ユニットと、該イオン発生ユニットで発生したイオンを含む空気を吹き出すための吹出口が設けられ、取付面に取り付けられるパネルと、前記吹出口を開閉するとともに風向を調整する風向調整板とを備えるイオン発生装置において、前記風向調整板で前記吹出口を閉じた状態で、該吹出口から漏出する空気を前記取付面から離隔する方向へ導出する導出部を備えることを特徴とする。
【０００９】
本発明にあっては、導出部は、風向調整板で吹出口を閉じた状態で、当該吹出口から漏出する空気を取付面から離隔する方向へ導出する。取付面は、例えば、天井面であり、導出部は風向調整板に沿って天井面の方へ流れる空気を天井面から離れる方向へ導く。これにより、天井面の周辺の塵又は埃を巻き込んだ空気が天井面に沿って流れることを抑制して、天井面の汚れを防止することができる。
【００１０】
本発明に係るイオン発生装置は、前記吹出口及び風向調整板は、略同寸法の矩形状をなし、前記パネルの周縁部に設けてあり、前記風向調整板は、前記吹出口の前記周縁部と反対側の縁部に沿った軸回りに回動可能に設けられ、前記導出部は、前記風向調整板の前記周縁部側の縁辺に沿って設けてあることを特徴とする。
【００１１】
本発明にあっては、吹出口及び風向調整板は、略同寸法の矩形状をなし、パネルの周縁部に設けてある。風向調整板は、吹出口の対向する縁部のうち、周縁部と反対側の縁部に沿った軸回りに回動可能に設けてある。すなわち、風向調整板は、吹出口の周縁部よりも中央部よりの端部に沿った軸回りに回動し、風向調整板が閉じた状態では、風向調整板の周縁部側の縁辺が吹出口の周縁部側の端部の内側に収まる。導出部は、風向調整板の周縁部側の縁辺に沿って設けてある。これにより、風向調整板の周縁部側の縁辺と吹出口の端部との隙間から漏出する空気の流れる方向を取付面（天井面）が離れる方向へ導くことができる。
【００１２】
本発明に係るイオン発生装置は、前記導出部は、前記風向調整板を閉じた状態で該風向調整板の内側の縁辺に沿って設けた突条部材であることを特徴とする。
【００１３】
本発明にあっては、導出部は、風向調整板を閉じた状態で風向調整板の内側の縁辺に沿って設けた突条部材である。突条部材（導出部）を具備しない場合は、風向調整板の内側に当たった空気が風向調整板の内側表面に沿って流れ、そのまま風向調整板の周縁部側の縁辺と吹出口の端部との隙間から取付面（天井面）に沿って流れる。突条部材（導出部）を備えることにより、風向調整板の内側表面に沿って流れる空気の方向を突条部材で風向調整板の内側表面に対して略垂直上方向に変えることができる。流れる方向を突条部材により風向調整板の内側表面に対して略垂直上方向に変えた空気は、パネル内に当たり、略垂直下方向に流れる向きを変え、風向調整板の周縁部側の縁辺（突条部材の周縁部側の側面）と吹出口の端部との隙間から取付面（天井面）に対して略垂直下方向に流れる。これにより、天井面の周辺の塵又は埃を巻き込んだ空気が天井面に沿って流れることを抑制して、天井面の汚れを防止することができる。
【００１４】
本発明に係るイオン発生装置は、前記突条部材の前記軸側の側面は、凹状に湾曲してあることを特徴とする。
【００１５】
本発明にあっては、突条部材の軸側の側面（突条部材の周縁部側の側面と反対側の側面）は、凹状に湾曲してある。これにより、風向調整板の内側表面に沿って流れる空気の向きを、凹状の湾曲部分で風向調整板の内側表面に対して略垂直上方向に変えることができる。
【００１６】
本発明に係るイオン発生装置は、前記パネルの周縁部に前記吹出口及び前記風向調整板それぞれを複数設けてあり、前記パネルの中央部に空気の取入口を設けてあることを特徴とする。
【００１７】
本発明にあっては、パネルの周縁部に吹出口及び風向調整板それぞれを複数設けてあり、パネルの中央部に空気の取入口を設けてある。すなわち、取入口の周りに吹出口及び風向調整板が設けられている。導出部を具備しない場合には、風向調整板が開いた状態で吹出口から吹き出された空気が風向調整板の内側表面に沿って流れるため、風向調整板の先端（風向調整板の周縁部側の縁辺）付近では、発生したイオンの一部が取入口に向かって流れる空気に取り込まれてしまう。導出部（突条部材）を備えることにより、風向調整板の先端（風向調整板の周縁部側の縁辺）で空気の流れを変えることができる。例えば、導出部（突条部材）により、風向調整板の内側表面に対して略垂直上方向に空気の流れを変えることができるので、発生したイオンの一部が取入口に向かって流れる空気に取り込まれてしまう事態を抑制することができる。
【発明の効果】
【００１８】
本発明によれば、天井面の周辺の塵又は埃を巻き込んだ空気が天井面に沿って流れることを抑制して、天井面の汚れを防止することができる。
【図面の簡単な説明】
【００１９】
【図１】本実施の形態のイオン発生装置のルーバを閉じた状態の構成の一例を示す外観斜視図である。
【図２】本実施の形態のイオン発生装置のルーバを開いた状態の構成の一例を示す外観斜視図である。
【図３】本実施の形態のイオン発生装置の内部構成の一例を示す斜視図である。
【図４】本実施の形態のイオン発生ユニットの一例を示す外観斜視図である。
【図５】本実施の形態のイオン発生装置の構成の一例を示す平面図である。
【図６】本実施の形態のイオン発生装置の構成の一例を示す要部断面図である。
【図７】本実施の形態のイオン発生装置の導出部の構成の一例を示す要部断面図である。
【図８】比較例としての突条部材を具備しないイオン発生装置の構成の一例を示す要部断面図である。
【図９】本実施の形態のイオン発生装置のルーバを開いた状態の一例を示す要部断面図である。
【発明を実施するための形態】
【００２０】
以下、本発明をその実施の形態を示す図面に基づいて説明する。図１は本実施の形態のイオン発生装置１００のルーバを閉じた状態の構成の一例を示す外観斜視図であり、図２は本実施の形態のイオン発生装置１００のルーバを開いた状態の構成の一例を示す外観斜視図であり、図３は本実施の形態のイオン発生装置１００の内部構成の一例を示す斜視図である。イオン発生装置１００は、一面が開口した箱状のケース１、ケース１の開口面に装着される矩形状のパネル２などを備える。
【００２１】
ケース１を天井面などの取付面に設けた開口内に収容することにより、取付面にパネル２を取り付ける。イオン発生装置１００を天井に設置した状態では、取付面からパネル２が露出した形となり、イオン発生装置１００は、いわゆる天井埋込型のイオン発生装置である。
【００２２】
パネル２は、中央部に矩形状の空気の取入口１０を設けてあり、取入口１０を設けた箇所の高さ寸法（厚み寸法）が大きく、パネル２の中央部から周部に向かって高さ寸法が小さくなるようにパネル２の表面（前面）を取入口１０の面に対して傾斜させてある。
【００２３】
平面視が略矩形状のパネル２は、４つの周縁部２ａ、２ｂ、２ｃ、２ｄを有する。周縁部２ａ〜２ｄは、パネル２の外周部分である。パネル２の周縁部２ａ〜２ｄには、矩形状の空気の吹出口１１、１２、１３、１４を設けてある。また、それぞれの吹出口１１〜１４には、風向調整板であるルーバ２１、２２、２３、２４を設けてある。
【００２４】
吹出口１１は、平面視が略矩形状をなし、パネル２の周縁部２ａに平行に対向する端部１１ａ、１１ｂを有する。端部１１ａは、周縁部２ａ側の端部であり、端部１１ｂは、周縁部２ａと反対側（パネル２の中央部側）の端部である。
【００２５】
また、吹出口１２は、平面視が略矩形状をなし、パネル２の周縁部２ｂに平行に対向する端部１２ａ、１２ｂを有する。端部１２ａは、周縁部２ｂ側の端部であり、端部１２ｂは、周縁部２ｂと反対側（パネル２の中央部側）の端部である。
【００２６】
また、吹出口１３は、平面視が略矩形状をなし、パネル２の周縁部２ｃに平行に対向する端部１３ａ、１３ｂを有する。端部１３ａは、周縁部２ｃ側の端部であり、端部１３ｂは、周縁部２ｃと反対側（パネル２の中央部側）の端部である。
【００２７】
また、吹出口１４は、平面視が略矩形状をなし、パネル２の周縁部２ｄに平行に対向する端部１４ａ、１４ｂを有する。端部１４ａは、周縁部２ｄ側の端部であり、端部１４ｂは、周縁部２ｄと反対側（パネル２の中央部側）の端部である。
【００２８】
ルーバ２１〜２４は、吹出口１１〜１４と略同寸法であり、ルーバ２１〜２４が閉じた状態では、パネル２の表面とルーバ２１〜２４の外側表面とが略同一面をなすように、吹出口１１〜１４内に収容される。ここで、ルーバ２１〜２４の外側表面とは、ルーバ２１〜２４が閉じた状態で外部から視認できる側の表面であり、また外側表面と反対側の面を内側表面と称する。
【００２９】
パネル２の周縁部２ａ〜２ｄに吹出口１１〜１４及びルーバ２１〜２４を設けてあり、パネル２の中央部に空気の取入口１０を設けてある。すなわち、取入口１０の周りに吹出口１１〜１４及びルーバ２１〜２４が設けられている。
【００３０】
ルーバ２１は、吹出口１１の対向する端部１１ａ、１１ｂのうち、パネル２の周縁部２ａと反対側の縁部１１ｂに沿った軸回りに回動可能に設けられている。また、ルーバ２２は、吹出口１２の対向する端部１２ａ、１２ｂのうち、パネル２の周縁部２ｂと反対側の縁部１２ｂに沿った軸回りに回動可能に設けられている。また、ルーバ２３は、吹出口１３の対向する端部１３ａ、１３ｂのうち、パネル２の周縁部２ｃと反対側の縁部１３ｂに沿った軸回りに回動可能に設けられている。また、ルーバ２４は、吹出口１４の対向する端部１４ａ、１４ｂのうち、パネル２の周縁部２ｄと反対側の縁部１４ｂに沿った軸回りに回動可能に設けられている。
【００３１】
ルーバ２１〜２４の回動動作は、ルーバ制御回路（不図示）により制御される。ルーバ２１〜２４を閉じることにより、吹出口１１〜１４はルーバ２１〜２４で覆われる。また、ルーバ２１〜２４を適宜の角度（例えば、取入口１０の面に対する角度）で開くことにより、吹出口１１〜１４から吹き出されるイオンを含む空気は、ルーバ２１〜２４の内側面に当たって風向を調整することができる。また、吹出口１１〜１４から吹き出されるイオンを含む空気は、パネル２の中央部から周縁部へ向かう方向に吹き出すことができる。
【００３２】
吹出口１１〜１４の近傍には、それぞれの吹出口１１〜１４に対応させて表示部としてのＬＥＤ３１、３２、３３、３４を設けてある。ＬＥＤ３１〜３４は、例えば、取入口１０の周縁部と各吹出口１１〜１４の端部との間に設けることができる。ＬＥＤ３１〜３４は、各吹出口１１〜１４から吹き出される空気に含まれるイオンの濃度が正常値の範囲でない場合などの異常時に点灯又は点滅するようになっている。
【００３３】
ＬＥＤ３１〜３４には、点灯時の光で、例えば、ルーバ２１〜２４の外側面の所望の領域を照らすことができるように導光部材（不図示）を設けることもできる。これにより、ルーバ２１〜２４の開閉状態に関わらず、ルーバ２１〜２４の外側表面の所望の領域を光らせることができ、外部からの視認性を高めることができる。
【００３４】
パネル２の前面には、異常の発生を報知する報知部としてのＬＥＤランプ、リモートコントロール等の外部装置から所定の信号を取得する取得部としての受光部などを備える表示パネル２５を設けてある。
【００３５】
例えば、表示パネル２５は、複数のＬＥＤランプを備え、イオン発生装置１００が運転状態であることを示すＬＥＤランプ（運転ランプ）、後述のイオン発生ユニットの交換を知らせるためのＬＥＤランプ、イオン発生ユニット等の異常を報知するためのＬＥＤランプ、イオン発生ユニット又はフィルタ（不図示）等の清掃を通知するためのＬＥＤランプなどを備える。
【００３６】
また、図３に示すように、ケース１の中央部には、ファン３を設けてある。ファン３は、いわゆるターボファンであり、回転軸方向に立設した複数の羽板を備える。羽板は、ファン３の周方向に沿って傾斜させてある。すなわち、ファン３の回転軸から羽板の両端部までの半径方向に沿った距離が異なり、ファン３を回転させることにより、羽板が空気を外側に押し出すようにしてある。これにより、ファン３が回転することにより、取入口から空気が取り込まれ、ファン３の回転により、取り込まれた空気は、それぞれの吹出口１１〜１４からイオンを含んだ状態で放出される。
【００３７】
図２又は図３に示すように、それぞれの吹出口１１〜１４の内側には、イオン発生ユニット４１、４２、４３、４４を装着している。
【００３８】
図４は本実施の形態のイオン発生ユニット４１の一例を示す外観斜視図である。なお、他のイオン発生ユニット４２〜４４もイオン発生ユニット４１と同等であるので、以下では、イオン発生ユニット４１について説明する。
【００３９】
イオン発生ユニット４１は、箱状の収容部４１１を備え、収容部４１１には、正イオン及び負イオンを発生する電極部４１３、４１２を備えたイオン発生部、イオンセンサ４１４などを収容している。
【００４０】
イオン発生部は、矩形状の板状体であり、一方の端部近傍にマイナスイオンを発生させる電極部４１２を設けてあり、他方の端部近傍にプラスイオンを発生させる電極部４１３を設けてある。
【００４１】
収容部４１１の一側端部には、イオン発生ユニット４１を機械的及び電気的に接続するためのコネクタ４１５を備える。また、収容部４１１の一側端部には、イオン発生ユニット４１をケース１に固定するためのねじ部４１６を設けてある。
【００４２】
イオン発生ユニット４１は、空気中の水蒸気をプラズマ放電によりイオン化することにより、プラスイオンとしてのＨ+ （Ｈ2 Ｏ）n （ｎは任意の自然数）と、マイナスイオンとしてのＯ2 - （Ｈ2 Ｏ）m （ｍは任意の自然数）とを発生する。そして、これらが化学反応することにより、活性種である過酸化水素（Ｈ2 Ｏ2 ）及び／又は水酸基ラジカル（ＯＨ）が生成され、空気中の浮遊細菌や浮遊ウィルス等が除去される。
【００４３】
これにより、それぞれの吹出口１１〜１４は、独立にプラスイオンを含む空気、及びマイナスイオンを含む空気を吹き出すことができ、イオン発生装置１００から吹き出した空気中のプラスイオンとマイナスイオンとが直ちに中和することを防止できる。そして、イオンの中和を防止することにより、イオンの拡散性を向上させることができる。
【００４４】
図５は本実施の形態のイオン発生装置１００の構成の一例を示す平面図であり、図６は本実施の形態のイオン発生装置１００の構成の一例を示す要部断面図である。図５はイオン発生装置１００をパネル２の前面（表面）側から見た状態を示す。また、図６はルーバ２１が開いた状態を示す。
【００４５】
ルーバ２１の対向する縁辺のうち、周縁部２ａ側（パネル２の中央部側と反対側）の縁辺に沿って導出部としての突条部材２１１を設けてある。突条部材２１１は、ルーバ２１の内側の縁辺に設けられている。
【００４６】
また、ルーバ２２の対向する縁辺のうち、周縁部２ｂ側（パネル２の中央部側と反対側）の縁辺に沿って導出部としての突条部材２２１を設けてある。突条部材２２１は、ルーバ２２の内側の縁辺に設けられている。
【００４７】
また、ルーバ２３の対向する縁辺のうち、周縁部２ｃ側（パネル２の中央部側と反対側）の縁辺に沿って導出部としての突条部材２３１を設けてある。突条部材２３１は、ルーバ２３の内側の縁辺に設けられている。
【００４８】
また、ルーバ２４の対向する縁辺のうち、周縁部２ｄ側（パネル２の中央部側と反対側）の縁辺に沿って導出部としての突条部材２４１を設けてある。突条部材２４１は、ルーバ２４の内側の縁辺に設けられている。
【００４９】
図７は本実施の形態のイオン発生装置１００の導出部の構成の一例を示す要部断面図である。なお、以下では、ルーバ２１を例として説明するが、他のルーバ２２〜２４も同様である。図７に示すように、導出部は、ルーバ２１の内側の縁辺に沿って設けられた突条部材２１１である。突条部材２１１は、パネル２の周縁部側の側面と反対側の側面（ルーバ２１の回動軸側の側面）が凹状に湾曲してある。すなわち、突条部材２１１は、凹状の湾曲面２１１ａを有する。
【００５０】
突条部材２１１（導出部）は、ルーバ２１で吹出口１１を閉じた状態で、吹出口１１から漏出する空気を取付面（天井面）から離隔する方向へ導出する。すなわち、突条部材２１１（導出部）は、ルーバ２１の内側表面に沿って天井面の方へ流れる空気を天井面から離れる方向へ導く。これにより、天井面の周辺の塵又は埃を巻き込んだ空気が天井面に沿って流れることを抑制して、天井面の汚れを防止することができる。
【００５１】
より具体的には、ルーバ２１は、吹出口１１の端部１１ｂに沿った軸回りに回動し、ルーバ２１が閉じた状態では、ルーバ２１の周縁部２ａ側の縁辺が吹出口１１の周縁部２ａ側の端部１１ａの内側に収まる。突条部材２１１（導出部）は、ルーバ２１の周縁部２ａ側の縁辺に沿って設けてある。これにより、ルーバ２１の周縁部２ａ側の縁辺と吹出口１１の端部１１ａとの隙間から漏出する空気の流れる方向を取付面（天井面）が離れる方向へ導くことができる。
【００５２】
すなわち、図７に示すように、ルーバ２１を閉じた状態でイオン発生装置１００を運転している場合（例えば、他のルーバが開いた状態となっている）、ファン３により吹出口に送出された空気Ａは、ルーバ２１の内側表面に当たる。ルーバ２１の内側表面に沿って流れる空気Ｂは、突条部材２１１（導出部）によりルーバ２１の内側表面に対して略垂直上方向（符号ＢからＣの方向）に変えることができる。突条部材２１１により流れる方向をルーバ２１の内側表面に対して略垂直上方向に変えた空気は、パネル内に当たり、略垂直下方向（符号Ｄの向き）に流れる向きを変え、ルーバ２１の周縁部２ａ側の縁辺（突条部材２１１の周縁部２ａ側の側面）と吹出口１１の端部１１ａとの隙間から取付面（天井面）に対して略垂直下方向に流れる。これにより、天井面の周辺の塵又は埃を巻き込んだ空気が天井面に沿って流れることを抑制して、天井面の汚れを防止することができる。
【００５３】
図８は比較例としての突条部材を具備しないイオン発生装置の構成の一例を示す要部断面図である。図８に示すように、突条部材２１１（導出部）を具備しない場合は、ルーバ２１の内側に当たった空気がルーバ２１の内側表面に沿って流れ（符号Ｂ′で示す方向）、そのままルーバ２１の周縁部２ａ側の縁辺と吹出口１１の端部１１ａとの隙間から取付面（天井面）に沿って流れる。図８の例では、天井面の周辺の塵又は埃を巻き込んだ空気が天井面に沿って流れるため天井面に汚れが付着するという問題があるが、本実施の形態にあっては、かかる問題を解消することができる。
【００５４】
また、図７に示すように、突条部材２１１は、凹状の湾曲面２１１ａを有するので、ルーバ２１の内側表面に沿って流れる空気の向きを、凹状の湾曲部分でルーバ２１の内側表面に対して略垂直上方向に変えることができ、風切音などの騒音の発生も抑制することができる。なお、図７で例示した構成及び作用効果は、ルーバ２２〜２４についても同様に該当する。
【００５５】
図９は本実施の形態のイオン発生装置１００のルーバ２１を開いた状態の一例を示す要部断面図である。図９の符号Ｅで示すように、突条部材２１１（導出部）を具備しない場合は、ルーバ２１が開いた状態で吹出口１１から吹き出された空気がルーバ２１の内側表面に沿って流れるため、ルーバ２１の先端（ルーバ２１の周縁部２ａ側の縁辺）付近では、発生したイオンの一部が取入口１０に向かって流れる空気（符号Ｅで示す）に取り込まれてしまう。
【００５６】
突条部材２１１（導出部）を備えることにより、符号Ｂで示すように、ルーバ２１の先端（ルーバ２１の周縁部２ａ側の縁辺）で空気の流れを変えることができる。例えば、突条部材２１１（導出部）により、ルーバ２１の内側表面に対して略垂直上方向（符号Ｂの方向）に空気の流れを変えることができるので、発生したイオンの一部が取入口１０に向かって流れる空気に取り込まれてしまう事態を抑制することができる。
【００５７】
上述の実施の形態では、ルーバ２１〜２４が完全に閉じた状態で吹出口１１〜１４から漏出する空気の流れる方向を天井面から離れる方向へ導くことができる。さらに、本実施の形態によれば、ルーバ２１〜２４を完全に閉じた状態ではなく、わずかに開いた状態であっても、ルーバ２１の内側表面に対して略垂直上方向に空気の流れを変えることができるので、吹出口１１〜１４へ送出された空気がルーバ２１〜２４の内側面に沿って風向を変えて天井面に沿って流れることを抑制することができる。
【００５８】
上述の実施の形態では、イオン発生ユニット及び吹出口を複数備える構成であったが、これに限定されるものではなく、イオン発生ユニット及び吹出口は１つであってもよい。
【符号の説明】
【００５９】
１  ケース
２  パネル
２ａ、２ｂ、２ｃ、２ｄ  周縁部
３  ファン
１０  取入口
１１、１２、１３、１４  吹出口
２１、２２、２３、２４  ルーバ（風向調整板）
２１１、２２１、２３１、２４１  突条部材（導出部）
４１、４２、４３、４４  イオン発生ユニット
【図１】
2013104599.tif 000003
【図２】
2013104599.tif 000004
【図３】
2013104599.tif 000005
【図４】
2013104599.tif 000006
【図５】
2013104599.tif 000007
【図６】
2013104599.tif 000008
【図７】
2013104599.tif 000009
【図８】
2013104599.tif 000010
【図９】
2013104599.tif 000011